(57)【特許請求の範囲】
【請求項１】
包装用コンテナは、厚紙の個別シート（１）から直立する矩形ケースの底部パネル（４）と連結するサイドパネル（５，６）とを形成するための縦の刻み線（２，３）によって接続された少なくとも３つの一体的に結合したパネルを含み、前記包装用コンテナの少なくとも一つの端部は、強化された端部ゾーン内に配置され格納された端部パネル（８）を介して凹部にされており、強化された前記端部ゾーンは、前記底部パネル及び前記サイドパネルを通して横方向に設けられた刻み線（７）に沿って前記底部及びサイドパネルに対して折り畳まれたサイドパネル素材及び底部パネル素材のストリップ（１７，１８，１９）を含み、前記端部パネル（８）は、横下部の刻み線（９）を介して、折り畳まれた前記底部パネルのストリップ（１９）に一体化されており、前記端部パネル（８）は、その側部のそれぞれにおいて、前記端部ゾーンを通して前記縦の刻み線（２，３）の延長にある刻み線を介して前記端部パネル（８）と接続された各端部パネルタブ（１５，１６）を含み、前記端部パネルタブ（１５、１６）は、前記包装用コンテナの隣接する前記サイドパネル（５，６）のそばに平行に延在し、
各舌状部（２０，２１）は、前記端部パネル（８）と接続された端部パネル素材のストリップ（２２）の各対向する端部から自由に延在し、前記各舌状部（２０，２１）は、前記端部パネル（８）と直接には接続されておらず、前記下部の刻み線（９）と平行な横上部の刻み線（１０）を介して前記端部パネル（８）と接続されており、前記舌状部（２０，２１）は、前記包装用コンテナの側部で前記サイドパネル（５，６）と付属の前記ストリップ（１７，１８）との間に延在して挿入されていると共に、
前記端部パネル素材の前記ストリップ（２２）は、前記舌状部（２０，２１）と共に、上部の刻み線（１０）に沿って前記端部パネル（８）に対して折り畳まれている、包装用コンテナ。
【請求項２】
個別ふたは、ふたパネル（２３）と、前記ふたパネルの両側を縦の刻み線で接続している二つのふたタブ（２４，２５）と、を含む、請求項１に記載の包装用コンテナ。
【請求項３】
前記ふたタブ（２４，２５）は、前記サイドパネルと前記サイドパネル素材のそれぞれに付属する折り畳まれた前記ストリップ（１７、１８）との間に形成されたギャップ（３１）に挿入可能な大きさを有する、請求項２に記載の包装用コンテナ。
【請求項４】
少なくとも一つの追加のパネル（２８）は、縦の刻み線を介して一つ又は二つのサイドパネル（５，６）と一体的に結合されている、請求項１に記載の包装用コンテナ。
【請求項５】
少なくとも一つの端部パネルタブ（１５）は、前記サイドパネル（５、６）の一つに対して折り畳まれている、請求項４に記載の包装用コンテナ。
【請求項６】
請求項１から５のいずれか一項に記載の包装用コンテナの製造方法であって、
前記端部パネルタブ（１５，１６）が互いの頂部及び前記端部パネル（８）の頂部にのるように縦の刻み線（２，３）に沿って前記端部パネルタブ（１５，１６）を折り畳み、
第１の横の刻み線（７）に沿って、サイドパネル素材及び底部パネル素材のストリップ（１７，１８，１９）を前記サイド及び底部パネル（４，５，６）へ折り畳むことによって、強化された端部ゾーンを形成し、それによって前記各サイドパネル（５，６）と、前記サイドパネルと接続している素材の折り畳まれた前記ストリップ（１７，１８）との間にギャップ（３１）を形成し、
前記縦の刻み線（２，３）に沿って折り畳むことによって前記サイドパネル（５，６）を起こし、
前記舌状部（２０、２１）は、前記縦の刻み線（２、３）に沿って畳まれ、前記端部パネル素材の前記ストリップ（２２）と共に前記上部の刻み線（１０）に沿って前記端部パネル（８）に対して折り畳み、
前記下部の刻み線（９）に沿って折り畳むことによって前記端部パネル（８）を起こし、
前記端部パネルの舌状部（２０，２１）を前記ギャップ（３１）に挿入することによって前記サイドパネル（５，６）を直立位置に固定し、
前記底部パネル（４）に対してのせるように前記各端部パネルタブ（１５，１６）を前記各サイドパネル（５，６）に対して内側に折り畳むことによって、前記端部パネル（８）を直立位置に支持する、
包装用コンテナの製造方法。
【請求項７】
前記サイドパネル（５，６）とそれぞれの付属物であるサイドパネル素材の折り畳まれたストリップ（１７、１８）との間に形成された前記ギャップ（３１）内へ、個別ふたパネル（２３）から掛けられたふたタブ（２４、２５）を差し込んで前記包装用コンテナを閉止する、請求項６に記載の方法。
【請求項８】
前記サイドパネル（５，６）の外側にもたれて、個別ふたパネルから掛けられたタブ（２４，２５）を固定して前記包装用コンテナを閉止する、請求項６に記載の方法。
【請求項９】
サイドパネル（５，６）に一体的に結合されたふたパネル（２８）から、前記包装用コンテナの対向する前記サイドパネル（５，６）まで掛けられたタブ（３０）を固定して前記包装用コンテナを閉止する、請求項６に記載の方法。
【発明の詳細な説明】
【技術分野】
【０００１】
本発明は、包装用コンテナ（ｐａｃｋａｇｉｎｇ  ｃｏｎｔａｉｎｅｒ）及びその製造方法に関する。特に、本発明は、包装用のボックス形状、矩形状ケースに関し、波形ボード（ｃｏｒｒｕｇａｔｉｎｇ  ｂｏａｒｄ）の平坦シートに設けられた切れ目及び刻み線（ｓｃｏｒｉｎｇ  ｌｉｎｅｓ）に沿って折り畳んで形成され、コンテナは、少なくとも同じ位置の皿穴（ｃｏｕｎｔｅｒｓｕｎｋ）にされた一方の端部において、包装用コンテナの強化された端部によって格納され（ｒｅｔｒａｃｔｅｄ）保護された端部パネルを有する。
【背景技術】
【０００２】
強化され、保護された端部を有する波形ボードのボックス形状のケースは、軽く、容易に損傷する部材及び商品についての輸送パッケージとして広く用いられている。特許文献には、個々の平坦な波形ボードシートから形成されたボックス形状ケースの非常に多くの例を含んでおり、切れ目及び刻み線が波形ボードシートに設けられ、平坦シートは、皿穴及び強化された短辺又は格納された端部パネルを有する端部を有する矩形コンテナ又はケースを形成するように折り畳み可能である。
【０００３】
例えば、ＤＥ８０２０２３５Ｕ１及びＵＳ２５９３８９５は、厚紙の平坦シートに設けられた切れ目及び刻み線に沿って折り畳むことによって形成された、強化された端部ゾーンを有する厚紙のコンテナ又は波形ボードを有する。これらの二つには、端部パネルが落下することを防止するためのタブ連動スロットを頼りとし、組み立て位置にコンテナの側部を保持する手順を示している。
【０００４】
別の手順がＵＳ４０９０６０７とＵＳ６０３２８５３とによって示されており、両方とも組み立て位置にコンテナの側部及び端部パネルを保持するために接着剤又は接着テープに頼っている。
【０００５】
さらに、ＵＳ３１６０３４４によって、コンテナ内に配置された部材に少なくとも部分的に頼って、端部パネルが落下することを防ぐ手順が示されており、ＵＳ４３９６１１８によって、ふたに吊られた外部端部パネルに頼って、外部端部パネルの内側に組み立てる位置に内部端部パネルを格納されたままにしている。
【０００６】
ＷＯ２００６／１０１４４３によれば、波形ボードの個々のシートから形成されたボックス形状のケースが示されており、端部パネルは、強化された端部ゾーン内に格納された方法で配置されている。このコンテナは、いったんコンテナが閉じたならば、端部パネルの落下を防ぐ接着剤も他の方法も必要としておらず、閉じたコンテナを構成しているパネルの間の協働にのみ頼っている。
【０００７】
しかし、ＷＯ２００６／１０１４４３に記載の包装用コンテナは、平坦な厚紙シートからコンテナを立ち上げるために一時的に補助する「第３の手」又は特別のツールを必要とし、この方法で構成されたコンテナは、すぐにふたを閉じなければ、組み立て位置及び形状を保つことができない。
【先行技術文献】
【特許文献】
【０００８】
【特許文献１】ＤＥ８０２０２３５Ｕ１
【特許文献２】ＵＳ２５９３８９５
【特許文献３】ＵＳ４０９０６０７
【特許文献４】ＵＳ６０３２８５３
【特許文献５】ＵＳ３１６０３４４
【特許文献６】ＵＳ４３９６１１８
【特許文献７】ＷＯ２００６／１０１４４３
【発明の概要】
【発明が解決しようとする課題】
【０００９】
本発明の目的は、自立型であって、包装用コンテナを構成するパネル間の協働の結果としてその形状のみを保ち、その結果、接着剤又は包装用コンテナのボックス状構造を維持するための他の固定部材を要することがない上記記載のタイプの包装用コンテナを提供することである。
【００１０】
本発明の他の目的は、第３の手又はツールからの一時的な補助を要することなく、厚紙の平坦シートから容易に組み立てることができるデザインの包装用コンテナを提供することである
【課題を解決するための手段】
【００１１】
これらの目的は、少なくとも３つの統合的に結合されたパネルを含む包装用コンテナによって満たされる。この包装用コンテナは、底部の形成、及び、厚紙の個々のシートから直立できる矩形状の包装用コンテナの接続面、のための長手の刻み線によって一体化される。包装用コンテナの少なくとも一つの端部は、強化された端部ゾーンの内側に格納された方法で配置された端部パネルを介してさら孔（ｃｏｕｎｔｅｒｓｕｎｋ）にされている。
【００１２】
前記包装用コンテナの少なくとも一つの端部は、強化された端部ゾーン内に格納された手段に配置された端部パネルを介してさら穴にされる。強化された前記端部ゾーンは、前記底部パネル及び前記サイドパネルにわたって設けられた刻み線に沿って前記底部及びサイドパネルに対して折り畳まれた前記サイド素材及び底部素材のストリップを含む。前記底部パネルを介して横方向に走る刻み線を介して、前記端部パネルが前記底部パネルの折り畳まれた前記ストリップに一体化され、さらに、それらの前記側部のそれぞれにおいて、前記端部パネルは、各端部パネルタブを有し、前記端部パネルタブは、前記サイドパネルを前記底部パネルに一体化させる縦の刻み線と一致する刻み線を介して前記端部パネルに一体化され、それによって前記端部パネルタブは隣接するサイドパネルと共に前記包装用コンテナ内に直立位置で延在し、前記端部パネルに接続された各舌状部は、前記包装用コンテナの各側部で前記サイドパネルとその付属のストリップとの間に延在して挿入されている。
【００１３】
さらに正確には、前記舌状部は、底部パネルによって刻み線と平行に走る横上部の刻み線を介して端部パネルに結合される端部パネル素材のストリップの反対端から自由に伸びている。
【００１４】
前記手段によれば、端部パネルは、サイドパネルとそれらの付属の折り畳まれたストリップとの間に形成されたギャップに挿入され締められる舌状部によって外側に落ちないようにされている。サイドパネルは、端部パネルと接続されたサイドパネルと舌状部との間のかみ合いの結果、直立位置で同時に固定される。
【００１５】
前記手段によれば、さらに、端部パネルは、サイドパネルの側部に沿って延在し、包装用コンテナの内側で底部パネルにのる、端部パネルタブからの支持によって内側に落ちることを妨げることができる
【００１６】
この方法では、矩形の箱形形状のケースが形成され、それはそれ自体の直立状態を保つための追加手段を必要とせずに自立すると共に、第３の手又は他のツールからの補助を要することなく、平坦な厚紙シート又は波形ボードから直立する。
【００１７】
個別ふたは、包装用コンテナの閉止（クロージャ）のために供されてもよい。個別ふたは、ふたパネルと、縦の刻み線を介してふたパネルの側部に合体する２つのふたタブとを有していてもよい。ある実施形態において、ふたタブは、サイドパネルとサイドパネル素材の個々の付属の折り畳まれたストリップとの間に形成されたギャップ内へ挿入のための大きさを有している。言い替えると、ふたタブと端部パネルの舌状部とは、個別ふたによって閉止された包装用コンテナの上記ギャップ内に共存している。他の実施形態の例では、包装用コンテナの外部にふたタブを配置し、それを、例えばベルト、クリップ、ガム、あるいはテープによって固定する。
【００１８】
ふたは、上記に代えて、例えば縦の刻み線を介してサイドパネルの一つと結合されているふたパネルによって包装用コンテナに一体的にされてもよい。そのような実施形態では、ふたタブは、縦の刻み線を介してふたパネルに一体化してもよい。対象となっているギャップ内の端部パネルから延在する舌状部といっしょに延在するように、上記ふたタブは、サイドパネルとサイドパネル素材の付属の折り畳まれたストリップとの間に形成された適切なギャップに挿入する大きさを有することが好ましい。
【００１９】
さらに、上述の包装用コンテナは、平坦な厚紙シートに伸ばすことができるものであって、この平坦な厚紙シートは、切れ目及び刻み線が設けられた包装用白紙であり、平坦な厚紙シートが矩形の包装用コンテナ又はケースの形成のために折り畳まれる包装用白紙を構成することを強調しておく。
【００２０】
さらに正確に、前記厚紙シートは、
前記厚紙シートの端から端まで走る縦の刻み線であって、この縦の刻み線によって同じサイズの２つのサイドパネルの間の底部パネルを区切る、縦の刻み線と、
前記厚紙シートの前記縦の側端の間を走る第１の横の刻み線であって、この第１の横の刻み線によって、前記厚紙シートの端部の端部ゾーンを画成する、第１の横の刻み線と、
前記縦の刻み線の間の前記端部ゾーンを走る一対の第２の横の刻み線であって、この第２の横の刻み線によって下部刻み線と上部刻み線との間の端部パネルを画成する、一対の第２の横の刻み線と、
前記縦の刻み線から前記厚紙シートのそれぞれの側端までの前記下部及び上部の刻み線の延長の端部ゾーンに形成された素材を介した、横の、直線の切れ目であって、この切れ目によって端部パネルタブと前記端部パネルと接続された端部パネル舌状部とを画成する、横の、直線の切れ目と、
を含む。
【００２１】
前記包装用白紙によって、その閉止（ｃｌｏｓｕｒｅ）のための個別ふたを必要とする包装用コンテナが得られることが評価されるであろう。
【００２２】
しかし、切り離したり材料を捨てたりしないで波形ボードウエブの全幅を全体として利用できるという本実施形態によって得られる特徴である利点もまた評価されるであろう。
【００２３】
前記包装用白紙の他の実施形態は、隣接するサイドパネルと接続された少なくとも一つのふたパネル又は一つのふたパネルを形成する前記厚紙シートの縦方向に延在する１以上の追加の刻み線を含み、前記ふたパネルの一つの側部は、隣接するサイドパネルと接続し、反対の側部は、ふたタブと接続している。包装用コンテナに一体的に形成されたふたを含むこの実施形態では、直立している前記包装用コンテナの立っている前記サイドパネルと共に拡張された延長部をこの方法で提供するために、端部パネルタブは、有利なことに前記波形ボードウエブの前記縦の端部に向かって延在している。
【００２４】
上記によって、包装用白紙から箱形形状のケースを作成するプロセスには、他のツールの補助又は補助する第３の手なしに実行できる以下のいくつかの手作業のステップ、
前記第１の横の刻み線に沿ったサイドパネル素材及び底部パネル素材のストリップの前記サイドパネル及び前記底部パネルへの折り畳みによる強化された端部ゾーンの形成と、
前記縦の刻み線に沿った折り畳みによる前記サイドパネルの起こしと、
前記下部の刻み線に沿った折り畳みによる前記端部パネルの起こしと、
前記端部パネルの舌状部の、前記サイドパネルと、前記サイドパネルと接続された前記サイドパネル素材の前記折り畳まれたストリップとの間に形成された前記ギャップへの挿入による直立位置への前記サイドパネルの固定と、
前記端部パネルが前記底部パネルに対してのるように前記パネルタブの内側へ折り畳むことによる直立位置への前記端部パネルの支持と、
を含む。
【００２５】
サイドパネルが端部パネルの舌状部との連動によって直立位置で固定された場合、包装用コンテナは、すぐに使用できる状態にある。必要であれば、包装用コンテナは、その後の使用のためにわきに置いておいてもよく、追加の固定手段又は処理を要することなく、その後、箱形形状を保つことができる。
【図面の簡単な説明】
【００２６】
【図１】本発明の第１の実施形態の包装用白紙を構成する平坦な厚紙シートに設けられた切れ目及び刻み線のレイアウトを示している。
【図２】図１の包装用白紙からなる包装用コンテナのための個別ふたを示している。
【図３ａ】図１の包装用白紙から包装用コンテナを形成する連続するステップの一つの部分切り欠き透視図である。
【図３ｂ】図１の包装用白紙から包装用コンテナを形成する連続するステップの一つの部分切り欠き透視図である。
【図３ｃ】図１の包装用白紙から包装用コンテナを形成する連続するステップの一つの部分切り欠き透視図である。
【図３ｄ】図１の包装用白紙から包装用コンテナを形成する連続するステップの一つの部分切り欠き透視図である。
【図３ｅ】図１の包装用白紙から包装用コンテナを形成する連続するステップの一つの部分切り欠き透視図である。
【図３ｆ】図１の包装用白紙から包装用コンテナを形成する連続するステップの一つの部分切り欠き透視図である。
【発明を実施するための形態】
【００２７】
本発明の実施形態について、添付の図面を参照して、以下に説明する。
【００２８】
図１の包装用白紙は、厚紙１の矩形状シートであり、縦長さＬと、横長さ又は幅Ｗとを有する。厚紙シート１は、波形ボードのシートが好ましいが必須ではなく、縦及び横方向に設けられた切れ目及び刻み線を有する。より正確には、２つの刻み線２及び３は、厚紙シート１の縦方向に平行に延び、刻み線２及び３によって、底部パネル４と接続している同じ幅の２つのサイドパネル５及び６とを画成している。縦の刻み線２及び３は、厚紙シート１の横端縁ＴＥに延在し、刻み線２及び３は、横の刻み線７によって画成された端部ゾーンを介して走っている。端部ゾーンでは、追加の横刻み線によって、下部刻み線９と上部刻み線１０との間に画成された端部パネル８を形成する。
【００２９】
下部刻み線９は、厚紙シート１のそれぞれの長手端縁ＬＥへの横方向に延在し、縦の刻み線２及び３から厚紙シートのそれぞれの隣接した長手端縁まで及ぶ切れ目１１及び１２の形状で延在している。上部刻み線１０は、横方向で縦の刻み線２及び３から隣接した長手端縁まで及ぶ切れ目１３及び１４によるそれぞれの長手端縁まで対応して延在する。それら自身の間で、切れ目１１及び１３は、縦の刻み線２の延長によって端部パネル８に接続する端部パネルタブ１５を形成する。同様の方法で、切れ目１２及び１４は、それら自身の間で、縦の刻み線３の延長によって端部パネル８に接続する端部パネルタブ１６を形成する。
【００３０】
サイドパネル素材及び底部パネル素材１９の断面方向に配向されたストリップ１７、１８は、一方で横刻み線７で区切られ、他方で下部刻み線９及び付属の切れ目１１及び１２によって区切られている。サイドパネル素材のストリップ１７及び１８は、完成後のケースの下部コーナを形成する縦の刻み線２及び３を介して底部パネルストリップ１９と接続する。
【００３１】
包装用白紙の最も外側の端部において、素材のストリップは、切れ目１３及び１４によって厚紙シート１から分離される。ストリップは、縦の刻み線２及び３を介して端部パネル素材のストリップ２２とそれぞれ接続された舌状部２０、２１を形成する。ストリップ２２は、上部刻み線１０を介して端部パネル８に順に接続され、このようにして舌状部２０、２１は、端部パネル８と有効に接続される。
【００３２】
包装用コンテナ用の包装用白紙において、対向する両端部は、さら穴にされ、保護している端部ゾーン内に格納され、包装用白紙の端部は互いに左右対象に形成されていてもよい。
【００３３】
図３ａ−３ｄを参照して、以下に説明する方法において、包装用白紙１は、上方へ開いたコンテナ又はケースの形成のために折り畳むことができる。包装用コンテナの閉止（クロージャー）用の個別のふたは図２に説明された方法で用意してもよい。ふたは、ふたパネル２３と、縦の刻み線２６及び２６を介してふたパネルの側部に接続する２つのふたタブ２４、２５とを含む。図１に点線によって示されたように、ふたパネル２８は、上記に代えて包装用コンテナに一体的に形成されていてもよく、縦の刻み線２９を介してサイドパネルと接続していてもよい。追加のパネル３０は、折り畳まれてふたパネルと接続していてもよい。そのような実施形態において、必要であれば、図１の中の点線によって同様に示される拡張端部パネルタブ１５’を形成することができるシート材料がある。
【００３４】
厚紙シート１から包装用コンテナを形成するステップは下記に述べられ、図３ａ−３ｆを参照し、矢印Ｉ−ＩＸは、折り畳むステップの順番を示している。図３ｃ、３ｄ及び３ｅの図面が包装用コンテナの部分的な完成のみを示していることは、明瞭さのため、および、理解のためである。しかし、全体として完成された包装用コンテナは、図３ｆに示されている。
【００３５】
図３ａに関して、厚紙シート１からの包装用コンテナの形成のプロセスの第１ステップは、各端部パネルタブを互いの上に置き、かつ、端部パネル８の上に置くように、縦の刻み線２及び３に沿った端部パネルタブ１５及び１６の折り畳み（矢印Ｉ、ＩＩを参照。）を含む。
【００３６】
次に、端部ゾーン全体を横の刻み線７に沿って（矢印ＩＩＩ）折り畳むことによって、サイドパネル及び底部パネルについて折り畳まれ、端部ゾーン全体は、図３ｂに示される位置をとる。
【００３７】
図３ｃに示される次に続くステップでは、相互の順序は重要ではないが、舌状部２０及び２１は、刻み線２及び３に沿って畳まれ（矢印ＩＶ）、ストリップ２２と一緒に上部の刻み線１０（矢印Ｖ）に沿って端部パネル８に対して折り畳まれ、サイドパネルは縦の刻み線２及び３に沿って折り畳む（矢印ＶＩ）ことにより直立する。
【００３８】
図３ｄに示される最終ステップにおいて、片側面を示すことによって明瞭さを増すことができ、端部パネル８は、下部刻み線９に沿って折り畳まれる（矢印ＶＩＩ）ことによって起こされ、一方、舌状部２０及び２１は、折り畳まれたサイドパネルストリップ１７及び１８と付属のサイドパネル５、６の間で形成されるギャップ３１へ同時に差し込まれて、このようにしてギャップ３１内の舌状部２０、２１との連動の結果、サイドパネルを直立位置に固定する。
【００３９】
図３ｅに示される、完結ステップで、端部パネルは、それぞれのタブ１５及び１６が伸びて、隣接したサイドパネルとほとんど平行となり、完成した包装用コンテナ中で、タブが、底部パネル４に対して下側エッジ３２及び３３の上にのるように、端部パネルタブ１５及び１６をサイドパネル（矢印ＶＩＩＩ、ＩＸ）に対して折り畳むことにより、端部パネルが内部に落ちることを妨げる。
【００４０】
本発明は、当然にここに示された比率をまさに有する包装用コンテナに限定されるものではなく、本発明は、包装用コンテナそれ自体の構造、及び、添付の請求の範囲における定義を考慮する。
【図１】
0006339115.tif 000002
【図２】
0006339115.tif 000003
【図３ａ】
0006339115.tif 000004
【図３ｂ】
0006339115.tif 000005
【図３ｃ】
0006339115.tif 000006
【図３ｄ】
0006339115.tif 000007
【図３ｅ】
0006339115.tif 000008
【図３ｆ】
0006339115.tif 000009